(57)【特許請求の範囲】
【請求項１】
ネジ部の下部の棒状部の外周に、内径が前記ネジ部の下部の棒状部の外周面直径よりもやや大きい円筒形のロック部を設け、該ロック部の上部にナットを取り付け、下端にストッパーを有するアンカーボルトにおいて、放射状に突片を設けたナットを、前記ネジ部の上端に螺合し、前記ロック部を鋭角に切断した切断部を境にして上半部と下半部とで構成し、上半部が締め付け方向と反対方向に戻らないようなラチェット歯のような階段状の凹凸を、上半部と下半部の切断面に形成したことを特徴とする法面やトンネル内周面等の補修・補強用せん断ボルト。
【発明の詳細な説明】
【０００１】
【産業上の利用分野】
本発明は、法面やトンネル内周面等の補修・補強用せん断ボルトに関するものである。
【０００２】
【従来の技術】
コンクリートの吹き付け工法により被覆されている法面の補修・補強としては、図10に示すように旧コンクリート１の面に新規吹き付け部材２として新コンクリートを吹き付けることが行われるが、旧コンクリート１と新規吹き付け部材２との一体化を図るには旧コンクリート１の面に金網ラス20等を張設することが一般的である。図中３はこの金網ラス20の止めピンである。
【０００３】
しかし、金網ラス20の付設は新たな吹き付け部材２の吹き付け後のはね返りの率の増大につながり、また、付着性の悪い新規吹き付け部材２を鉄網で保持させるために、逆に旧コンクリート１の面に密着させる吹付工の妨げとなる。しかも、金網ラス20を張るラス張りの作業はきわめて面倒である。
【０００４】
図11はトンネルの場合で、同様に内周面の補修・補強として旧コンクリート１の面に新規吹き付け部材２として新コンクリートを吹き付けることが行われるがこの場合も金網ラス20を張設するラス張りの作業はきわめて面倒である。
【０００５】
そこで、出願人の一人は先に出願した特願平6-190442号に示すようにアンカーボルトを使用して旧コンクリートと新規吹き付け部材との一体化を図る方法を提案した。かかる方法で使用するボルトは、ナットを取り付けたネジ部の下部にロック部を設け、さらに放射状に突片を設けたナットを、アンカーボルトのネジ部上端に螺合するもので、ロック部は例えば、鋭角に切断した切断部を境にして上半部と下半部とに区分してある。
【０００６】
そして、このアンカーボルトは、ロック部を既設吹き付け層もしくは直接地山に埋設して地山の法面に植設する際に、ナットを回してロック部の方向へ移動させると、ロック部に圧力がかかり、上半部と下半部とが食い違い、この食い違いでロックがなされる。
【０００７】
こうして植設したアンカーボルトの法面から突出するネジ部の先端に、放射状に突片を設けたナットを螺合し、このナットが完全に埋設されるように新規吹き付け部材を旧コンクリートの面上に施す。
【０００８】
かかるアンカーボルトを再使用するには、ナットを緩めて引き抜く。
【０００９】
【発明が解決しようとする課題】
このように従来のアンカーボルトは再使用を想定しているため、ナットを緩めればロック部、ネジ部を地山から抜き取れる。このことは逆に、埋設後に何らかの事情でナットが緩むとロックが緩むことになり、信頼性が低下する。
【００１０】
本発明の目的は、前記従来例の不都合を解消し、埋設後にナットが緩んでもロックが解除されることがなく、高い信頼性をもって旧コンクリートと新規吹き付け部材との一体化を図ることのできる法面やトンネル内周面等の補修・補強用せん断ボルトを提供することにある。
【００１１】
【課題を解決するための手段】
本発明は前記目的を達成するため、ネジ部の下部の棒状部の外周に、内径が前記ネジ部の下部の棒状部の外周面直径よりもやや大きい円筒形のロック部を設け、該ロック部の上部にナットを取り付け、下端にストッパーを有するアンカーボルトにおいて、放射状に突片を設けたナットを、前記ネジ部の上端に螺合し、前記ロック部を鋭角に切断した切断部を境にして上半部と下半部とで構成し、上半部が締め付け方向と反対方向に戻らないようなラチェット歯のような階段状の凹凸を、上半部と下半部の切断面に形成したことを要旨とするものである。
【００１２】
【作用】
本発明によれば、ナットの締めつけによりロック部に圧力がかかると、上半部と下半部とが食い違い、この食い違いでロックされる。このとき、上半部と下半部とは切断面に形成してある凹凸が噛み合い、上半部は締めつけ方向とは反対の方向には戻らなくなり、ナットが緩んでもロックが外れることはない。
【００１３】
そして、上半部の戻りを確実に阻止でき、また、加工が容易となる。
【００１４】
【実施例】
以下、図面について本発明の実施例を詳細に説明する。図１は法面やトンネル内周面等の補修・補強用せん断ボルトの一般例を示す使用状態の正面図、図２は同上斜視図で、ネジ部４の下部の棒状部の外周にロック部５を設け、該ロック部５の上部にナット６を取り付けてアンカーボルト７を構成し、該アンカーボルト７のネジ部４の上端に、放射状に突片８を設けたナット９を螺合する。
【００１５】
前記ロック部５は、鋭角に切断した切断部10を境にして上半部11と下半部12とに区分した。すなわち上半部11と下半部12はそれぞれの切断面13, 14を持って接し、このロック部５の内径は前記ネジ部４の下部の棒状部の外周面直径よりもやや大きい。
【００１６】
また、ネジ部４の下部の棒状部の下端にはロック部５を受けるストッパー17を設けた。このストッパー17はロック部５と同等以上の直径を有し、ロック部５が抜け落ちるのを阻止する。
【００１７】
かかる構成のボルトにおいて、ナット９を締めつけた状態で上半部11が締めつけ方向と反対の方向に戻ることを阻止するための凹凸15を切断面13, 14に形成した。この切断面13, 14の形状は、一般例では図１に示すように波形とし、この波形の曲線形状は、上半部11が図１において矢印方向には回るが、これと反対の方向には回らないよう、下半部12の波形の山部がストッパーとなるような形状にした。
【００１８】
また、ナット９は６本の突片８が均等相互間隔角度で放射状に突出するものであるが、その態様を図５〜図10に示す。図５、図６の例は、ナット９の一面が溶接する平板16の周辺に断面くの字形の山形に湾曲する突片８を一体的に形成した。このようにくの字形に湾曲させることで、平板16の部分が比較的薄くても突片８を強度のあるものとすることができる。
【００１９】
図７、図８の例は、同じくナット９の一面が溶接する平板16の周辺に突片８を一体的に形成したが、この突片８は平板とする。この例の場合は、図５、図６の場合に比べて平板16や突片８を多少厚いものとして強度を確保する。
【００２０】
図９、図10の例は、突片８は棒状であり、これをナット９の６つの側面にそれぞれ１本ずつ溶接した。
【００２１】
かかるせん断ボルトを使用して法面やトンネル内周面の補修・補強をするには、アンカーボルト７を既設吹き付け層をなす旧コンクリート１の面に適宜間隔で植設する。このアンカーボルト７はロック部５を旧コンクリート１に埋設するが、ナット６を回してロック部５の方向に移動させると、ロック部５に圧力がかかり、上半部11と下半部12とが食い違い、この食い違いでロックがなされる。
【００２２】
このように適宜間隔で多数を植設したアンカーボルト７には、旧コンクリート１の面から突出するネジ部４の先端にナット９を螺合する。その結果、ネジ部４の先端に突片８が水平に、花弁状に突出する。
【００２３】
そこで、このナット９が完全に埋設されるように新規吹き付け部材２を旧コンクリート１上に施す。かかる新規吹き付け部材２としてはモルタルやコンクリートが適切であり、特に、ＳＦＲＣ（スチールファイバーコンクリート）等の鋼繊維補強コンクリートが好適である。
【００２４】
施工後に、ナット６が緩むなどしても、上半部11は、切断面13の凹凸15を介して下半部12の切断面14の凹凸15と噛み合い、この凹凸15がストッパーとして作用することで、締めつけ方向と反対方向へ戻ることが阻止されるから、ロックが外れることはない。
【００２５】
図３は本発明の法面やトンネル内周面等の補修・補強用せん断ボルトの１実施例を示す要部の正面図で、基本構造は前記した一般例と同様であるからここでの詳細な説明は省略するが、切断面13, 14の凹凸15の形状を鋸歯状に形成した。この場合も、上半部11が締めつけ方向と反対方向へ戻ることを阻止するように、鋸歯の形状をラチェット歯のような階段状に形成した。
【００２６】
【発明の効果】
以上述べたように本発明の法面やトンネル内周面等の補修・補強用せん断ボルトは、アンカーボルトのロックが一旦ロックされた後は、ナットが緩むなどしてもルックが外れることがなく、高い信頼性をもって旧コンクリートと新規吹き付け部材との一体化を図ることができるものである。
【図面の簡単な説明】
【図１】  本発明の法面やトンネル内周面等の補修・補強用せん断ボルトの一般例を示す使用状態の正面図である。
【図２】  本発明の法面やトンネル内周面等の補修・補強用せん断ボルトの一般例を示す斜視図である。
【図３】  本発明の法面やトンネル内周面等の補修・補強用せん断ボルトの第１実施例を示す正面図である。
【図４】  ナットの第１例を示す側面図である。
【図５】  ナットの第１例を示す平面図である。
【図６】  ナットの第２例を示す側面図である。
【図７】  ナットの第２例を示す平面図である。
【図８】  ナットの第３例を示す側面図である。
【図９】  ナットの第３例を示す平面図である。
【図１０】  法面の場合の従来例を示す縦断側面図である。
【図１１】  トンネルの場合の従来例を示す部分縦断側面図である。
【符号の説明】
１…旧コンクリート              ２…新規吹き付け部材
３…止めピン                    ４…ネジ部
５…ロック部                    ６…ナット
７…アンカーボルト              ８…突片
９…ナット                      10…切断部
11…上半部                      12…下半部
13…切断面                      14…切断面
15…凹凸                        16…平板
17…ストッパー                  20…金網ラス
【図１】
0003695544.tif 000002
【図２】
0003695544.tif 000003
【図３】
0003695544.tif 000004
【図４】
0003695544.tif 000005
【図５】
0003695544.tif 000006
【図６】
0003695544.tif 000007
【図７】
0003695544.tif 000008
【図８】
0003695544.tif 000009
【図９】
0003695544.tif 000010
【図１０】
0003695544.tif 000011
【図１１】
0003695544.tif 000012